(57)【要約】【課題】通信販売に係る商品に、店頭における訴求力に匹敵する訴求力を与えることができる商品情報提供システムを提供する。【解決手段】商品情報および商品３Ｄデータファイルを保持する商品情報管理サーバ２００と、３Ｄ画像データを取り込んでペーパークラフト展開図データを作成しペーパークラフトダウンロードページを作成するペーパークラフトデータ構築装置１００と、商品情報を取り込んで商品紹介ページを作成し、商品紹介ページにペーパークラフトダウンロードページをリンクさせてＷＷＷ上に公開するＷｅｂサーバ３００と、インターネット６００を経由してペーパークラフト展開図データをダウンロードするクライアントＰＣ４００と、ダウンロードされたペーパークラフト展開図データを印刷出力する印刷装置５００とから構成される。【選択図】        図２
2005202838.tif 000002
【特許請求の範囲】
【請求項１】
通信販売に係る商品に関する情報を提供する商品情報提供システムであって、
前記商品情報提供システムは、商品に関する情報を提供するサーバと、前記サーバとネットワークを介して接続され、前記サーバから商品に関する情報を取得するクライアント端末装置とから構成され、
前記サーバは、
商品に関する情報と、当該商品のペーパークラフトの展開図データとを対応付けて提供する提供手段を備え、
前記クライアント端末装置は、
前記提供手段が提供する展開図データを取得する取得手段を備える
ことを特徴とする商品情報提供システム。
【請求項２】
前記サーバは、さらに、
商品の３Ｄ画像データを記憶しておく商品データ記憶手段と、
前記３Ｄ画像データから前記展開図データを作成するペーパークラフト展開手段とを備える
ことを特徴とする請求項１記載の商品情報提供システム。
【請求項３】
前記ペーパークラフト展開手段は、
前記３Ｄ画像データに、前記ペーパークラフトの組立工程を簡易にする簡素化を施す簡素化部と、
前記簡素化手段が簡素化した３Ｄ画像データから前記展開図データを作成する展開図作成部とを備える
ことを特徴とする請求項２記載の商品情報提供システム。
【請求項４】
前記簡素化部は、前記ペーパークラフトの組立工程の難易度に応じた複数のレベルで前記３Ｄ画像データに簡素化を施し、
前記展開図作成部は、前記簡素化部が複数のレベルで簡素化した３Ｄ画像データから前記展開図データをそれぞれ作成する
ことを特徴とする請求項３記載の商品情報提供システム。
【請求項５】
前記３Ｄ画像データには、商品の寸法に関する情報が含まれ、
前記ペーパークラフト展開手段は、
前記３Ｄ画像データから前記展開図データを作成する際に、前記商品の寸法に関する情報に基づいて、前記ペーパークラフトの展開図の寸法が所定の用紙サイズに納まるように前記展開図の寸法を調整するサイズ調整部を備える
ことを特徴とする請求項２〜４のいずれか１項に記載の商品情報提供システム。
【請求項６】
前記商品データ記憶手段には、さらに、商品の質量に関する情報が記憶されており、
前記サーバは、さらに、
前記商品の質量に関する情報に基づいて、前記質量を他の物体の質量に換算する質量換算手段を備え、
前記提供手段は、前記質量換算手段の換算結果を提供し、
前記取得手段は、前記提供手段が提供する換算結果を取得する
ことを特徴とする請求項２〜５のいずれか１項に記載の商品情報提供システム。
【請求項７】
前記他の物体は、硬貨であり、
前記ペーパークラフト展開手段は、さらに、
前記３Ｄ画像データから前記展開図データを作成する際に、組立後のペーパークラフトに前記硬貨の投入を受け付ける硬貨投入穴を前記ペーパークラフトの展開図に形成する
ことを特徴とする請求項６記載の商品情報提供システム。
【請求項８】
商品に関する情報を提供するサーバと、前記サーバとネットワークを介して接続され、前記サーバから商品に関する情報を取得するクライアント端末装置とから構成されるシステムにおける商品情報提供方法であって、
前記サーバにおいて、商品に関する情報と、当該商品のペーパークラフトの展開図データとを対応付けて提供する提供ステップと、
前記クライアント端末装置において、前記提供ステップで提供される展開図データを取得する取得ステップとを含む
ことを特徴とする商品情報提供方法。
【請求項９】
前記サーバにおいて、さらに、商品の３Ｄ画像データから前記展開図データを作成するペーパークラフト展開ステップを含む
ことを特徴とする請求項８記載の商品情報提供方法。
【請求項１０】
通信販売に係る商品に関する情報を提供する商品情報提供システムを構成するサーバのためのプログラムであって、
商品の３Ｄ画像データから当該商品のペーパークラフトの展開図データを作成するペーパークラフト展開ステップと、
前記３Ｄ画像データと、ペーパークラフト展開ステップで作成された展開図データとを対応付けて提供する提供ステップとをコンピュータに実行させる
ことを特徴とするプログラム。
【請求項１１】
通信販売に係る商品に関する情報を提供する商品情報提供装置であって、
商品の３Ｄ画像データを記憶しておく商品データ記憶手段と、
前記３Ｄ画像データから当該商品のペーパークラフトの展開図データを作成するペーパークラフト展開手段と、
前記３Ｄ画像データと、ペーパークラフト展開手段が作成した展開図データとを対応付けて提供する提供手段とを備える
ことを特徴とする商品情報提供装置。
【発明の詳細な説明】
【技術分野】
【０００１】
本発明は、商品に関する情報を提供する商品情報提供システムに関し、特に通信販売において、商品の訴求力を向上させるシステムに関する。
【背景技術】
【０００２】
従来、消費者が店舗を訪れることなく商品の購入をする販売形態、いわゆる通信販売が盛んに行なわれており、商品紹介用のカタログに商品の写真を掲載することで商品紹介が行なわれている。通信販売には、このようなカタログによる販売方式もあるが、特に、近年のインターネットの爆発的な普及に伴い、Ｗｅｂサイト上で商品の画像（２Ｄおよび３Ｄ）や動画像を表示させて商品を紹介し、オンラインで注文を受け付けるオンラインショッピングでの商品売上額が急増している。このようなオンラインショッピングを行なうサイトは、ショッピングサイトと呼ばれ、消費者の購買意欲を刺激するための様々な工夫が凝らされている。その一例としては、クライアントＰＣとサーバとの間で、動画像および音声のリアルタイム双方向通信により、消費者があたかも来店しているかのような擬似的な来店状況を提供する仮想来店通信販売システム（特許文献１参照。）等がある。
【特許文献１】特開２００２−２８８４６０号公報
【発明の開示】
【発明が解決しようとする課題】
【０００３】
しかしながら、上記のような商品の紹介方法では、実際に店頭で商品を見たときの大きさの感覚や、実際に店頭で商品を手に取ったときの重量感などを表現することができない。そのため、通信販売における商品の訴求力は、店頭における訴求力と比べて劣り、消費者は、商品の寸法や重さを実感することができないがゆえに購買意欲が沸かず、通信販売での商品購入をためらうおそれがある。
【０００４】
そこで、本発明は、かかる問題点に鑑みなされたものであり、オンラインショッピングをはじめとする通信販売に係る商品に、店頭における訴求力に匹敵する訴求力を与えることができる商品情報提供システムを提供することを目的とする。
【課題を解決するための手段】
【０００５】
上記目的を達成するために、本発明に係る商品情報提供システムは、通信販売に係る商品に関する情報を提供する商品情報提供システムであって、前記商品情報提供システムは、商品に関する情報を提供するサーバと、前記サーバとネットワークを介して接続され、前記サーバから商品に関する情報を取得するクライアント端末装置とから構成され、前記サーバは、商品に関する情報と、当該商品のペーパークラフトの展開図データとを対応付けて提供する提供手段を備え、前記クライアント端末装置は、前記提供手段が提供する展開図データを取得する取得手段を備えることを特徴とする。これによって、消費者は、ペーパークラフト展開図をプリントアウトして組み立てることで、通信販売に係る商品を実際に店頭で見たときのように実感することができるので、店頭における訴求力に匹敵する訴求力を与えることができ、ひいては消費者の購買意欲を高めることができる。
【０００６】
ここで、前記サーバは、さらに、商品の３Ｄ画像データを記憶しておく商品データ記憶手段と、前記３Ｄ画像データから前記展開図データを作成するペーパークラフト展開手段とを備え、前記ペーパークラフト展開手段は、前記３Ｄ画像データに、前記ペーパークラフトの組立工程を簡易にする簡素化を施す簡素化部と、前記簡素化手段が簡素化した３Ｄ画像データから前記展開図データを作成する展開図作成部とを備えるとしてもよい。これによって、ペーパークラフトの組立作業を容易化し、消費者に、より簡単にペーパークラフトを組み立てて商品を実感させることができるので、商品訴求力の向上を図ることができる。
【０００７】
また、前記商品データ記憶手段には、さらに、商品の質量に関する情報が記憶されており、前記サーバは、さらに、前記商品の質量に関する情報に基づいて、前記質量を他の物体の質量に換算する質量換算手段を備え、前記提供手段は、前記質量換算手段の換算結果を提供し、前記取得手段は、前記提供手段が提供する換算結果を取得するのが好ましい。これによって、消費者は、商品の重量も実感することができるので、商品訴求力のさらなる向上を図ることができ、より消費者の購買意欲を高めるシステムが実現される。
【０００８】
なお、本発明は、このような商品情報提供システムとして実現することができるだけでなく、このような商品情報提供システムを構成する各装置が備える特徴的な手段をステップとする商品情報提供方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【０００９】
このように、本発明に係る商品情報提供システムによれば、商品見本をペーパークラフト化して消費者に提供し、消費者にペーパークラフトを組み立てることで商品寸法を実際に店頭で見たときのように実感させるので、店頭における訴求力に匹敵する訴求力を通信販売に係る商品に与えることができる。
また、商品質量をコインの質量に換算して、消費者に実際に持ったときのように体感させるので、商品訴求力のさらなる向上を実現することができ、ひいては、消費者の商品購買意欲を高めることも可能である。
【００１０】
以上のことから、オンラインショッピングをはじめとする通信販売が盛んな今日における本発明の実用的価値は極めて高いと考えられる。
【発明を実施するための最良の形態】
【００１１】
以下、本発明を実施するための最良の形態について詳細に説明する。
まず、本発明の実施の形態に係る商品情報提供システムについて説明する。
図１は、本実施の形態に係る商品情報提供システムの全体構成を示す図である。
この商品情報提供システム１は、オンラインショッピングにおいて商品の訴求力を向上させて消費者の商品購買意欲を高めるシステムであり、ペーパークラフトデータ構築装置１００、商品情報管理サーバ２００、Ｗｅｂサーバ３００、これらの装置の相互通信を可能とするＬＡＮ６０１、消費者が使用するクライアントＰＣ４００、クライアントＰＣ４００に接続された印刷装置５００、および、Ｗｅｂサーバ３００とクライアントＰＣ４００とを接続するインターネット６００から構成される。
【００１２】
ペーパークラフトデータ構築装置１００は、商品情報管理サーバ２００から商品の３Ｄデータを取得してペーパークラフトの展開図データに変換し、ペーパークラフトダウンロードページを作成してＷｅｂサーバ３００に送信するサーバ装置である。
商品情報管理サーバ２００は、商品の寸法や重量等の商品情報と、商品３Ｄデータとを保持し、管理するサーバ装置であり、商品情報をＷｅｂサーバ３００に送信し、商品３Ｄデータをペーパークラフトデータ構築装置１００に送信する。
【００１３】
Ｗｅｂサーバ３００は、商品情報管理サーバ２００から商品情報を取得して商品紹介ページを作成し、ペーパークラフトデータ構築装置１００から取得したペーパークラフトダウンロードページを商品紹介ページにリンクさせて、ＷＷＷ上に公開するサーバ装置である。
クライアントＰＣ４００は、消費者が使用するパーソナルコンピュータ等であり、Ｗｅｂサーバ３００が公開するペーパークラフトダウンロードページから、インターネット６００を経由してペーパークラフトの展開図データをダウンロードして表示出力したり、印刷装置５００に出力したりする。
【００１４】
印刷装置５００は、クライアントＰＣ４００と接続されたプリンタであり、クライアントＰＣ４００から展開図データを取得して、ペーパークラフト展開図を印刷出力する。
図２は、商品情報提供システム１の機能的な構成を示すブロック図である。
図２に示すように、ペーパークラフトデータ構築装置１００は、３Ｄデータ取込部１１０、フォーマット変換部１１１、３Ｄ基データ格納部１１２、３Ｄ簡素化部１１３、３Ｄ簡素化データ格納部１１４、ペーパークラフト展開部１１５、展開図データ格納部１１６、商品情報連携部１１７、重さ換算部１１８およびＷｅｂページ構築部１１９を備える。
【００１５】
３Ｄデータ取込部１１０は、商品情報管理サーバ２００の商品紹介用３Ｄデータ格納部２２０から商品３Ｄデータファイルを装置内に取り込むためのインターフェースであり、取り込んだ商品３Ｄデータファイルをフォーマット変換部１１１に出力する。ここで、３Ｄデータ取込部１１０は、商品の３Ｄデータファイル以外に、ＣＡＤ端末に内蔵されているハードディスク等であるＣＡＤデータ格納部７００からＣＡＤデータファイルを取り込むことができるとしてもよい。
【００１６】
フォーマット変換部１１１は、３Ｄデータ取込部１１０が取り込んだ商品３ＤデータファイルまたはＣＡＤデータファイルを、ペーパークラフト展開図を生成するためのファイルフォーマットに変換する処理部であり、変換したデータ（３Ｄ基データ）を３Ｄ基データ格納部１１２に格納するとともに、フォーマット変換の終了を知らせるフォーマット変換終了信号を３Ｄ簡素化部１１３に出力する。
【００１７】
３Ｄ基データ格納部１１２は、３Ｄ基データを一時的に記憶しておくためのバッファメモリである。なお、３Ｄ基データ格納部１１２は、３Ｄ基データを記録しておくためのハードディスク等の記憶装置によって実現してもよく、この場合、作成された３Ｄ基データが３Ｄ基データ格納部１１２に格納されていれば、再度、商品３Ｄデータファイルの取り込みをしなくてもすむようになる。
【００１８】
図３（ａ）に、３Ｄ基データの例を示す。ここでは、デジタルカメラの３Ｄ基データ１３０を示している。この３Ｄ基データ１３０は、商品３ＤデータファイルやＣＡＤデータファイルのフォーマット変換のみを行なうことにより生成されるので、レンズ部分やシャッターボタン等の曲面や各面は、そのままの形状が忠実に保持されている。
３Ｄ簡素化部１１３は、フォーマット変換終了信号を取得すると、３Ｄ基データ格納部１１２から３Ｄ基データを読み出して、簡素化する処理部であり、簡素化したデータ（３Ｄ簡素化データ）を３Ｄ簡素化データ格納部１１４に格納するとともに、簡素化の終了を知らせる簡素化終了信号をペーパークラフト展開部１１５に出力する。ここで、簡素化とは、３Ｄ基データを構成するワイヤーフレームの単純化や３Ｄ基データを構成する複数面の構造を単一の面構造化すること等であり、ペーパークラフトの組立工程の簡易化、すなわち、ペーパークラフトの組立作業の容易化を目的とするものである。また、この３Ｄ簡素化部１１３は、３Ｄ基データを組立作業の難易度に応じた複数の簡素化レベルで簡素化し、１つの３Ｄ基データから複数の３Ｄ簡素化データを生成することもできる。なお、簡素化の具体的な説明については後に詳述する。
【００１９】
３Ｄ簡素化データ格納部１１４は、３Ｄ簡素化データを一時的に記憶しておくためのバッファメモリである。なお、３Ｄ基データ格納部１１２と同様に、３Ｄ簡素化データ格納部１１４も、３Ｄ簡素化データを記録しておくためのハードディスク等の記憶装置によって実現してもよく、この場合、作成された３Ｄ簡素化データが３Ｄ簡素化データ格納部１１４に格納されていれば、再度、３Ｄ基データの簡素化を行なわなくてもすむようになる。
【００２０】
図３（ｂ）に、３Ｄ簡素化データの例を示す。ここでは、上記デジタルカメラの３Ｄ基データ１３０を簡素化した３Ｄ簡素化データ１４０を示している。この３Ｄ簡素化データ１４０は、３Ｄ基データ１３０を簡素化することにより生成されるので、レンズ部分やシャッターボタン等の曲面は多角形状とされ、細かい面はカットされて単一面化されている。
【００２１】
商品情報連携部１１７は、商品情報管理サーバ２００の商品情報データ格納部２１０からペーパークラフト展開図を作成するための商品情報（商品の寸法に関する情報および商品の質量に関する情報）を取得し、商品の寸法情報をペーパークラフト展開部１１５に出力し、商品の質量情報を重さ換算部１１８に出力する処理部である。
重さ換算部１１８は、商品の質量情報に基づいて、その商品の質量が所定のコインの質量に換算できるか否かを判定する処理部であり、コインの質量に換算できる場合には、ペーパークラフト展開図にコイン穴を形成させる指示をペーパークラフト展開部１１５に出力するとともに、コイン換算の結果をＷｅｂページ構築部１１９に出力する。
【００２２】
ペーパークラフト展開部１１５は、簡素化終了信号を取得すると、３Ｄ簡素化データ格納部１１４から３Ｄ簡素化データを読み出して、ペーパークラフト展開する処理部であり、生成したデータ（展開図データ）を展開図データ格納部１１６に格納するとともに、ペーパークラフト展開の終了を示す展開終了信号をＷｅｂページ構築部１１９に出力する。ここで、ペーパークラフト展開とは、３Ｄデータを２Ｄデータに展開することをいい、ペーパークラフト展開部１１５は、商品情報連携部１１７から出力される商品の寸法情報に基づいたサイズ調整をして、３Ｄ簡素化データを２Ｄの展開図データに変換する。ここにいうサイズ調整とは、商品の寸法から２Ｄの展開図データが所定の用紙サイズ（例えば、Ａ４サイズ）に納まると判定される場合は、商品の実寸大とし、所定の用紙サイズに納まらないと判定される場合は、２Ｄの展開図データが納まるように商品寸法を縮小させることをいう。また、ペーパークラフト展開部１１５は、重さ換算部１１８から出力されるコイン穴形成指示を取得すると、ペーパークラフト展開図の中で最大容量を有する部分にコイン穴を形成するように展開図データを更新する。
【００２３】
展開図データ格納部１１６は、展開図データを一時的に記憶しておくためのバッファメモリである。なお、３Ｄ基データ格納部１１２等と同様に、展開図データ格納部１１６も、展開図データを記録しておくためのハードディスク等の記憶装置によって実現してもよく、この場合、作成された展開図データが展開図データ格納部１１６に格納されていれば、再度、３Ｄ簡素化データのペーパークラフト展開を行なわなくてもすむようになる。
【００２４】
図３（ｃ）に、展開図データの例を示す。ここでは、上記デジタルカメラの３Ｄ簡素化データ１４０をペーパークラフト展開した展開図データ１５０を示している。この展開図データ１５０は、３Ｄ簡素化データ１４０を２Ｄデータ化することにより生成されるので、複数の構成部品に分解された上で、各構成部品同士の結合箇所が明示されており（図中の平仮名）、のりしろ１５１やコイン穴１５２が形成されている。
【００２５】
Ｗｅｂページ構築部１１９は、展開終了信号を取得すると、３Ｄ簡素化データ格納部１１４から３Ｄ簡素化データと、展開図データ格納部１１６から展開図データとを読み出して、展開図データをダウンロードするためのＷｅｂページ（ペーパークラフトダウンロードページ）をＨＴＭＬにより作成する処理部であり、作成したペーパークラフトダウンロードページを、読み出した３Ｄ簡素化データおよび展開図データとともに、Ｗｅｂサーバ３００のＷＷＷページ公開部３１０に送信する。また、Ｗｅｂページ構築部１１９は、重さ換算部１１８からコイン換算結果を取得した場合には、そのコイン換算結果を含めたペーパークラフトダウンロードページをＨＴＭＬにより作成する。
【００２６】
商品情報管理サーバ２００は、商品情報データ格納部２１０と、商品紹介用３Ｄデータ格納部２２０とを備える。
商品情報データ格納部２１０は、商品の寸法情報や質量情報の他、商品に関するあらゆる情報（商品特長や価格など）を格納するためのハードディスク等の記憶装置である。
商品紹介用３Ｄデータ格納部２２０は、商品３Ｄデータファイルを格納するためのハードディスク等の記憶装置である。商品紹介用３Ｄデータ格納部２２０に格納されている商品３Ｄデータファイルには商品の３Ｄ形状に加えて色情報が含まれており、商品の種類別および色別に分けられた複数個の商品３Ｄデータファイルが商品紹介用３Ｄデータ格納部２２０に格納されている。
【００２７】
Ｗｅｂサーバ３００は、ＷＷＷページ公開部３１０を備える。
ＷＷＷページ公開部３１０は、クライアントＰＣ４００からの送信要求リクエストに応答して、ＷＷＷページやデータを送信する処理部であり、Ｗｅｂサーバプログラム等により実現される。このＷＷＷページ公開部３１０は、商品情報データ格納部２１０から商品情報を、また、商品紹介用３Ｄデータ格納部２２０から商品３Ｄデータファイルを取得して、これらを用いて商品紹介ページをＨＴＭＬにより作成し、作成した商品紹介ページにＷｅｂページ構築部１１９から取得したペーパークラフトダウンロードページをリンクさせて、３Ｄ簡素化データおよび展開図データとともに保存しておく。そして、クライアントＰＣ４００からのリクエストに応じて、商品紹介ページやペーパークラフトダウンロードページを、また、３Ｄ簡素化データや展開図データをクライアントＰＣ４００に送信する。
【００２８】
クライアントＰＣ４００は、指示入力部４１０、ＷＷＷページ取得部４２０および表示部４３０を備える。
指示入力部４１０は、クライアントＰＣ４００のユーザである消費者から、ＷＷＷページの表示や、展開図データのダウンロード、展開図データの印刷等の指示の入力を受け付けるキーボードやマウス等の入力装置であり、入力された指示をＷＷＷページ取得部４２０に出力する。
【００２９】
ＷＷＷページ取得部４２０は、指示入力部４１０から取得した指示に従って、インターネット６００を経由してＷｅｂサーバ３００から商品紹介ページやペーパークラフトダウンロードページ等のＷＷＷページを取得したり、展開図データをダウンロードしたりするブラウザであり、取得したＷＷＷページを表示部４３０に出力し、また、指示入力部４１０から取得した指示に従って、展開図データを印刷装置５００の印刷部５１０に出力する。
【００３０】
表示部４３０は、ＷＷＷページ取得部４２０から出力されたＷＷＷページを表示出力するＣＲＴディスプレイや液晶ディスプレイ等の表示装置である。
印刷装置５００は、印刷部５１０を備える。印刷部５１０は、ＷＷＷページ取得部４２０から出力された展開図データに基づいて、ペーパークラフト展開図を用紙（例えば、ペーパークラフト向けの用紙）に印刷して出力する。
【００３１】
次に、ペーパークラフトデータ構築装置１００におけるペーパークラフトダウンロードページの作成手順について、図４を用いて説明する。
図４は、ペーパークラフトダウンロードページを作成する際のフロー図である。
まず、このフローに先立って、ペーパークラフトデータ構築装置１００は、例えば装置の管理者である商品販売者から、ペーパークラフトデータ構築装置１００の入力装置を介して、ペーパークラフトの展開図データの作成を所望する商品の指定を受け付ける。
【００３２】
商品の指定を受け付けると、ペーパークラフトデータ構築装置１００は、３Ｄデータ取込部１１０において、商品紹介用３Ｄデータ格納部２２０から、指定された商品の識別子（例えば、品番等）をキーにして、その商品の３Ｄデータファイルを読み出して装置内に取り込む（Ｓ１０）。また、ペーパークラフトデータ構築装置１００は、これと並行して商品情報連携部１１７において、商品情報データ格納部２１０から、指定された商品の識別子をキーにして、その商品の寸法や質量に関する情報を読み出してペーパークラフト展開部１１５に寸法情報を出力し、重さ換算部１１８に質量情報を出力しておく。
【００３３】
次に、ペーパークラフトデータ構築装置１００は、フォーマット変換部１１１において、取り込んだ商品３Ｄデータファイルのフォーマット変換を行ない、３Ｄ基データを生成する（Ｓ１２）。
続いて、ペーパークラフトデータ構築装置１００は、３Ｄ簡素化部１１３において、生成した３Ｄ基データを簡素化して３Ｄ簡素化データを生成する（Ｓ１４）。このとき、商品販売者からペーパークラフトデータ構築装置１００の入力装置を介して、簡素化レベルが設定されている場合には、３Ｄ簡素化部１１３において、３Ｄ基データを指定の簡素化レベルで簡素化する。
【００３４】
図５に、３Ｄ簡素化データの作成を説明するための図を示す。４面構成の角部を有する３Ｄ基データ１３１の場合、３Ｄ簡素化部１１３は、ペーパークラフト組立作業が高難易度の簡素化レベルが設定されている場合には、４面構成の角部を３面構成に簡素化した３Ｄ簡素化データ１４１を生成する。一方、ペーパークラフト組立作業が低難易度の簡素化レベルが設定されている場合には、３Ｄ簡素化部１１３は、４面構成の角部の２面をカットして２面構成に簡素化した３Ｄ簡素化データ１４２を生成する。
このような簡素化レベルの相違により、ペーパークラフトの展開図が変化するためペーパークラフトの組立作業の難易度も変わってくる。図６にその例を示す。
【００３５】
図６（ａ）および（ｂ）は、３Ｄ簡素化データの難易度設定による展開図データの違いを説明するための図である。図６（ａ）および（ｂ）は共に、円柱の３Ｄ基データを簡素化し、ペーパークラフト展開させて得られる展開図データである。図６（ａ）の展開図データ１５３は、ペーパークラフト組立作業が高難易度の簡素化レベルで３Ｄ簡素化データを展開図データに変換したものである。一方、図６（ｂ）の展開図データ１５４は、ペーパークラフト組立作業が低難易度の簡素化レベルで３Ｄ簡素化データを展開図データに変換したものである。図６（ａ）に示す展開図データ１５３では、ペーパークラフト組立時に円柱の柱部分を何回も折り曲げなければならないのに対し、図６（ｂ）に示す展開図データ１５４では、円柱の柱部分を数回折り曲げる程度でペーパークラフトを組み立てることができる。
【００３６】
続いて、ペーパークラフトデータ構築装置１００は、ペーパークラフト展開部１１５において、上記のような簡素化を経て生成された３Ｄ簡素化データを２Ｄの展開図データに変換することで、ペーパークラフト展開図を構築する（Ｓ１６）。このとき、ペーパークラフトデータ構築装置１００は、商品情報連携部１１７から取得した寸法情報を用いて、その商品の３Ｄ簡素化データを展開図データに変換した場合に、展開図が所定の用紙サイズに納まるか否かを判定して、納まらない場合にはサイズ調整を行なう。
【００３７】
また、ペーパークラフトデータ構築装置１００は、重さ換算部１１８において、商品情報連携部１１７から取得した質量情報に基づいて、商品の質量が所定のコインの質量に換算可能であるか否かを判定する（Ｓ１８）。ここで、所定のコインとして、例えば、１円、５円、１０円、５０円、１００円および５００円の硬貨を用いることができる。また、換算とは、これらの硬貨を複数枚組み合わせて、その合計質量を商品質量と同一または近似する値とすることをいい、換算可能であるか否かの判定は、硬貨の合計枚数が所定の閾値（例えば、５０枚）を超えるか否かを基準に判定する。
【００３８】
商品質量のコイン換算が可能である場合（Ｓ１８のＹｅｓ）、重さ換算部１１８は、コイン穴形成指示をペーパークラフト展開部１１５に出力し、また、各硬貨の組み合わせをコイン換算結果としてＷｅｂページ構築部１１９に出力する（Ｓ２０）。
その後、ペーパークラフトデータ構築装置１００は、Ｗｅｂページ構築部１１９において、３Ｄ簡素化データ格納部１１４から読み出した３Ｄ簡素化データと、展開図データ格納部１１６から読み出した展開図データと、重さ換算部１１８から出力されるコイン換算結果とを用いて、ＨＴＭＬによりペーパークラフトダウンロードページを作成し（Ｓ２２）、作成したペーパークラフトダウンロードページをＷＷＷページ公開部３１０に送信して処理動作を終了する。
【００３９】
一方、商品質量のコイン換算が可能でない場合（Ｓ１８のＮｏ）、ペーパークラフトデータ構築装置１００は、重さ換算部１１８においてコイン穴形成指示およびコイン換算結果を出力することなく、Ｗｅｂページ構築部１１９において、３Ｄ簡素化データ格納部１１４から読み出した３Ｄ簡素化データと、展開図データ格納部１１６から読み出した展開図データとを用いて、ＨＴＭＬによりペーパークラフトダウンロードページを作成し（Ｓ２２）、作成したペーパークラフトダウンロードページをＷＷＷページ公開部３１０に送信して処理動作を終了する。
【００４０】
続いて、クライアントＰＣ４００における表示画面例を図示しながら、商品情報提供システム１の処理手順について説明する。
図７は、クライアントＰＣ４００における表示画面の第１例を示す図である。
まず、クライアントＰＣ４００は、ユーザから指示入力部４１０を介して、Ｗｅｂサーバ３００がＷＷＷページ公開部３１０において公開する商品紹介ページのＵＲＬの入力を受け付けると、ＷＷＷページ取得部４２０においてインターネット６００経由で商品紹介ページを取得し、表示部４３０から商品紹介ページ画面４３１を表示出力する。
【００４１】
この商品紹介ページ画面４３１には、商品の品番、名称、特長や価格等の商品情報と、商品紹介用の３Ｄ画像が表示される商品３Ｄ画像表示部４３２が含まれており、ペーパークラフトダウンロードページへのリンクが設けられている。
ここで、クライアントＰＣ４００は、ユーザから指示入力部４１０を介して、ペーパークラフトダウンロードページへのリンクを選択する操作を受け付けると、ＷＷＷページ取得部４２０においてインターネット６００経由でＷＷＷページ公開部３１０からペーパークラフトダウンロードページを取得し、表示部４３０から図８に示すペーパークラフトダウンロードページ画面４３３を表示出力する。
【００４２】
図８は、クライアントＰＣ４００における表示画面の第２例を示す図である。
このペーパークラフトダウンロードページ画面４３３には、商品の完成イメージを表示する完成イメージ表示部４３４と、コイン換算結果を表示する重さ換算結果表示部４３５と、展開図データのダウンロード先のリンクとが含まれている。完成イメージ表示部４３４に表示される画像として、３Ｄ簡素化データが用いられており、展開図データのダウンロード先のリンクは、ペーパークラフト組立作業の難易度ごとに設けられている。
【００４３】
ここで、クライアントＰＣ４００は、ユーザから指示入力部４１０を介して、一の展開図データのダウンロード先のリンクを選択する操作を受け付けると、ＷＷＷページ取得部４２０においてインターネット６００経由でＷＷＷページ公開部３１０から選択された展開図データをダウンロードし、表示部４３０から図９に示す展開図画面４３６を表示出力する。
【００４４】
図９は、クライアントＰＣ４００における表示画面の第３例を示す図である。
この展開図画面４３６には、商品のペーパークラフト展開図を表示する展開図表示部４３７が含まれており、クライアントＰＣ４００は、ユーザから指示入力部４１０を介して、ペーパークラフト展開図の印刷を指示する操作を受け付けると、ＷＷＷページ取得部４２０から印刷装置５００の印刷部５１０に展開図データを送信する。その後、印刷装置５００は、印刷部５１０において、受信した展開図データに基づいてペーパークラフト展開図を印刷出力する。
【００４５】
このように本実施の形態に係る商品情報提供システム１によれば、商品の３Ｄデータに基づいてペーパークラフト展開図を作成し、Ｗｅｂ上に公開してダウンロード可能とすることで、消費者たるユーザは、このペーパークラフト展開図をダウンロードしてプリントアウトして組み立てることによって、商品の寸法や重さを体感することができるようになる。すなわち、この商品情報提供システム１によれば、商品見本をペーパークラフト化して消費者に提供して、実際に店頭で商品を見たときのサイズ感覚や持ったときの重量感を消費者に与えることができるので、商品の訴求力を向上させることができ、ひいては、店頭における訴求力に匹敵する訴求力を発揮させて、消費者の購買意欲を高めることも可能となる。
【００４６】
以上、本発明に係る商品情報提供システムについて実施の形態に基づき説明したが、本発明は、この実施の形態に限定されるものではない。
例えば、上記実施の形態では、ペーパークラフトデータ構築装置、商品情報管理サーバおよびＷｅｂサーバを、それぞれ独立した装置として表現しているが、これら各装置の機能を上記のような分類ではなく、１つのサーバ装置として実現してもよい。
【００４７】
また、上記実施の形態では、商品質量をコインの合計質量に換算することとしているが、その他の部材や物質の質量に換算することとしてもよい。例えば、ペーパークラフト展開図の印刷用紙を、撥水性を有する用紙とし、ペーパークラフト組立後に水を入れることで商品質量を表現することもできる。
さらに、上記実施の形態における画面例は、表示の一例に過ぎず、これに限定されるものでないことはいうまでもない。
【００４８】
またさらに、上記実施の形態のように、インターネット上に展開図データをダウンロード可能に公開するだけでなく、展開図データをＣＤ−ＲＯＭなどの記録媒体に格納して商品カタログと共に頒布するようにしてもよい。
【産業上の利用可能性】
【００４９】
本発明に係る商品情報提供システムは、通信販売における商品の訴求力を向上させるシステムとして利用することができ、特に、インターネットを用いたオンラインショッピング等に好適である。
【図面の簡単な説明】
【００５０】
【図１】商品情報提供システムの全体構成を示す図である。
【図２】商品情報提供システムの機能的な構成を示すブロック図である。
【図３】（ａ）は、３Ｄ基データの例を示す図であり、（ｂ）は、３Ｄ簡素化データの例を示す図であり、（ｃ）は、展開図データの例を示す図である。
【図４】ペーパークラフトダウンロードページを作成する際のフロー図である。
【図５】３Ｄ簡素化データの作成を説明するための図である。
【図６】３Ｄ簡素化データの難易度設定による展開図データの違いを説明するための図である。
【図７】クライアントＰＣにおける表示画面の第１例を示す図である。
【図８】クライアントＰＣにおける表示画面の第２例を示す図である。
【図９】クライアントＰＣにおける表示画面の第３例を示す図である。
【符号の説明】
【００５１】
１    商品情報提供システム
１００    ペーパークラフトデータ構築装置
１１０    ３Ｄデータ取込部
１１１    フォーマット変換部
１１２    ３Ｄ基データ格納部
１１３    ３Ｄ簡素化部
１１４    ３Ｄ簡素化データ格納部
１１５    ペーパークラフト展開部
１１６    展開図データ格納部
１１７    商品情報連携部
１１８    重さ換算部
１１９    Ｗｅｂページ構築部
１３０、１３１    ３Ｄ基データ
１４０、１４１、１４２    ３Ｄ簡素化データ
１５０    展開図データ
２００    商品情報管理サーバ
２１０    商品情報データ格納部
２２０    商品紹介用３Ｄデータ格納部
３００    Ｗｅｂサーバ
３１０    ＷＷＷページ公開部
４００    クライアントＰＣ
４１０    指示入力部
４２０    ＷＷＷページ取得部
４３０    表示部
４３１    商品紹介ページ画面
４３２    商品３Ｄ画像表示部
４３３    ペーパークラフトダウンロードページ画面
４３４    完成イメージ表示部
４３５    重さ換算結果表示部
４３６    展開図画面
４３７    展開図表示部
５００    印刷装置
５１０    印刷部
６００    インターネット
６０１    ＬＡＮ
７００    ＣＡＤデータ格納部
【図１】
2005202838.tif 000003
【図２】
2005202838.tif 000004
【図３】
2005202838.tif 000005
【図４】
2005202838.tif 000006
【図５】
2005202838.tif 000007
【図６】
2005202838.tif 000008
【図７】
2005202838.tif 000009
【図８】
2005202838.tif 000010
【図９】
2005202838.tif 000011